(57)【要約】      （修正有）【課題】短繊維の太さを太くして、衣類の繊維との摩擦抵抗を大きくした静電植毛を施した衣類及びタオル類、布巾類、その他繊維製品類のハンガーを提供する。【解決手段】ハンガー表面の一部または、全部に塗布された接着層と、前記接着層に静電植毛された複数の短繊維の層を備えることを特徴とする衣類及びタオルなどの繊維製品用ハンガー１である。短繊維の太さ１０〜２５Ｔの合成繊維を特徴とし、通常の静電植毛に使われる短繊維より太い短繊維を使って、衣類やタオル類、布巾類、その他繊維製品の滑り止め効果を高めた繊維製品用ハンガー１である。また、繊維製品の傷つき防止のために、前記短繊維の少なくとも先端部分に樹脂塗料を塗布し、短繊維の端面周囲の角を滑らかにした静電植毛加工２を表面に施したハンガー１である。【選択図】図１
2020014815.tif 000002
【特許請求の範囲】
【請求項１】
太さ１０〜２５Ｔの合成繊維の複数の短繊維による静電植毛加工が施されたことを特徴とする繊維製品用ハンガー。
【請求項２】
請求項１に記載の複数の短繊維がハンガー表面の一部、または全部に静電植毛加工が施されたことを特徴とする繊維製品用ハンガー。
【請求項３】
静電植毛加工された前記複数の短繊維の少なくとも先端部を樹脂塗料で被覆したことを特徴とする請求項１、または請求項２に記載の繊維製品用ハンガー。
【請求項４】
トップスが接触するハンガーの肩の一部分、或いはハンガー全面に静電植毛加工した、請求項１から請求項３までのいずれか一項に記載の繊維製品用ハンガー。
【請求項５】
ボトムスを掛けるバーに静電植毛加工を施した、請求項１から請求項３までのいずれか一項に記載の繊維製品用ハンガー。
【請求項６】
繊維製品を掛ける平面もしくは曲面を備える形状であり、請求項１から請求項３までのいずれか一項に記載の繊維製品用ハンガー。
【発明の詳細な説明】
【技術分野】
【０００１】  本発明は、静電植毛加工を用いた繊維製品のすべり防止加工を施したハンガーに関する。
【背景技術】
【０００２】  従来より衣類をはじめとする繊維製品のすべり防止のために、静電植毛加工をハンガー全面または部分的に施したハンガー（特許文献１）があり、一定のすべり防止効果があった。
【先行技術文献】
【０００３】
【特許文献１】実用新案登録第３１２５３２１号
【発明の概要】
【発明が解決しようとする課題】
【０００４】  しかしながら、従来の静電植毛加工によるすべり止めハンガーは、ナイロンなどの植毛用短繊維の太さが一般的な１．７〜３．３Ｔ（デシテックス）程度、長さ０．３〜１．５ｍｍで柔らかい風合いを出せる代わりに、衣類のスベリ止め効果に限界があり、一定の面積に静電植毛加工する必要があった。【０００５】  本発明は、従来の静電植毛加工を用いて、短繊維の種類や加工法によって、すべり止め効果を高める。【０００６】  本発明はよりすべり止め効果の高い静電植毛加工をすることによって、その加工範囲を縮小する。
【課題を解決するための手段】
【０００７】  太さ１０〜２５Ｔの合成繊維の複数の短繊維による静電植毛加工が施されたことを特徴とする繊維製品用ハンガーである。【０００８】  前記複数の短繊維がハンガー表面の一部、または全部に静電植毛加工が施されたことを特徴とする繊維製品用ハンガーである。【０００９】  静電植毛加工された前記複数の短繊維の少なくとも先端部を樹脂塗料で被覆したことを特徴とする繊維製品用ハンガーである。【００１０】  トップスが接触するハンガーの肩の一部分、或いはハンガー全面に静電植毛加工した、前記０００７から０００９までのいずれか一項に記載の繊維製品用ハンガーである。【００１１】  ボトムスを掛けるバーに静電植毛加工を施した、前記０００７から０００９までのいずれか一項に記載の繊維製品用ハンガーである。【００１２】  繊維製品を掛ける平面もしくは曲面を備える形状であり、前記０００７から０００９までのいずれか一項に記載の繊維製品用ハンガーである。
【発明の効果】
【００１３】  静電植毛加工に用いる短繊維の太さを１０〜２５Ｔと、従来より太くすることで、衣類の繊維に対し繊維が垂直に立ち、絡まり易くなり、衣類のすべり止め効果を上げる利点がある。【００１４】  また、静電植毛加工した短繊維の表面に樹脂塗料を塗布することで、短繊維の断面のエッジを樹脂塗料で覆うことで角が丸まり、衣類との過度の引っ掛かりを緩和させ、衣類の損傷を抑える効果がある。
【図面の簡単な説明】
【００１５】
【図１】すべり止め静電植毛加工のハンガー説明図である。
【図２】静電植毛加工部分の拡大断面図である。
【図３】従来品と、当発明品の繊維に対する引っ掛かり具合比較説明図である。
【図４】ハンガーの接着剤塗布工程を示した説明図である。
【図５】静電植毛加工の説明図である。
【図６】樹脂塗料の塗布工程を示した説明図である。
【図７】樹脂塗料塗布による繊維の引っ掛かり具合の緩和を示す説明図である。
【図８】当発明の静電植毛加工によるボトムスハンガーの説明図である。
【図９】当発明の静電植毛加工によるタオルハンガーの説明図である。
【図１０】本発明のハンガーの繊維製品を掛ける部分の形状図である。
【図１１】当発明のハンガーの滑り止め効果測定方法の説明図である。
【図１２】本発明のハンガーと、本発明より細い短繊維による静電植毛ハンガーの滑り止め効果を比較したグラフである。
【図１３】本発明のハンガーと、本発明より太い短繊維による静電植毛ハンガーの衣類に対する傷つき具合比較実験の方法の説明図である。
【図１４】本発明のハンガーと、本発明より太い短繊維による静電植毛ハンガーの衣類に対する傷つき具合比較実験結果を示した表である。
【図１５】短繊維の太さと摩擦抵抗力の相関グラフである。
【図１６】本発明の静電植毛加工のシートと、従来の静電植毛加工のシートをそれぞれ貼った樹脂板と、シリコーンゴム板を貼った樹脂板の図である。
【図１７】図１６の試験素材の繊維生地に対する滑り易さの比較測定方法の説明図である。
【図１８】本発明の静電植毛と、従来の静電植毛と、シリコーンゴム板の繊維生地に対する滑り易さを比較測定したグラフである。
【発明を実施するための形態】
【００１６】〔静電植毛加工を用いた衣類のすべり止めハンガーの製造方法〕
以下、本発明を実施するための形態について説明する。
図１の示すように、上着類、シャツ類、ワンピース類の着用時に人の肩に接触する部分がある衣類用として使用するトップスハンガー（１）の肩部分の衣類と接触する面に本発明の静電植毛加工（２）をより少ない面積で施す。
【００１７】図２の示すように、ハンガー（１１）の表面に接着層（１２）を形成。その上に短繊維の植毛層（１３）を形成する。
【００１８】  図３の示すように、衣類繊維のすべり止め効果に影響する引っ掛かり具合について、本発明の太さ１０〜２５Ｔ（長さ０．３〜１．５ｍｍの一般的に使われる長さ）の短繊維（２１）でハンガー（２２）表面に静電植毛した場合、従来の太さ１．７〜３．３Ｔ（長さ０．３〜１．５ｍｍ）の短繊維（２３）の静電植毛と比べ、繊維の太さが太いため、繊維自体が曲りにくく、寝にくいため、短繊維の端面の角が衣類（２４）の繊維に対し引っ掛かる割合が増加する。
【００１９】  図４の示すように、プラスチック、木材、金属材質の衣類ハンガー（３１）に静電植毛加工する部分以外をマスキング（３２）し、短繊維を植毛するための接着剤（３３）をエアースプレーガン（３４）で吹きつけ塗布する。
【００２０】  図５の示すように太さ１０〜２５Ｔの合成繊維の短繊維（パイル）（４１）を篩（４２）に入れて振動させる。接着剤（４３）を塗布したハンガー（４４）側に接地極（アース）（４５）を、篩（４２）と、接着剤（４３）を塗布したハンガー（４４）の間に高圧極（４６）を配置。更にハンガー（４４）下の短繊維（４１）を置く金属板（４７）自体を高圧極とし、静電気発生装置（４８）で３０ｋＶ〜５０ｋＶの静電気を掛けながら、接着剤（４３）を塗布したハンガー（４４）表面に接着剤（４３）が乾燥・硬化しない間に短繊維（４１）を篩（４２）から落下、及びハンガー（４４）下の金属板上に短繊維（４１）を置き、静電気の力でハンガー（４４）に向けて飛散させて接着剤（４３）に短繊維（４１）を刺す形で植毛する。
【００２１】  図６の示すように、基材に短繊維を植毛したハンガー（５１）に透明樹脂塗料（５２）をエアースプレーガン（５３）を使って薄く塗布する。
【００２２】  図７の示すように、植毛した短繊維（６１）に透明樹脂塗料（６２）を塗布し、表面をコーティングする。コーティングされた短繊維（６１）の表面側端面の角が透明樹脂塗料により丸くなる。そのため繊維の引っ掛かりが緩和され、衣類の繊維（６３）を傷つけることを防止する。また、短繊維の接着層（６４）と短繊維（６１）を透明樹脂塗料（６２）が全体に覆い、短繊維（６１）のハンガー（６５）への接着力を増強させ、短繊維（６１）の毛抜け防止の効果が補強される。
【００２３】  図８の示すように、ズボン類、スカート類を掛けるボトムスハンガー（７１）の衣類が掛かる部分に、本発明の太さ１０〜２５Ｔの短繊維（７２）で静電植毛を施す。
【００２４】  図９ａ、図９ｂ、図９ｃの示すように、タオルハンガー（８１）のタオル類、布巾類、雑巾類が掛かる部分に、本発明の太さ１０〜２５Ｔの短繊維（８２）で静電植毛を施す。
【００２５】  図１０ａ、図１０ｂ、図１０ｃの示すように、本発明のハンガーの繊維製品（９１）を掛ける部分（９２）の形状は平面、または曲面のいずれか、もしくはその両方を有するものである。
【００２６】  図１１の示すように、本発明の静電植毛ハンガー（１０１）と、従来からの静電植毛ハンガー（１０２）の衣類の滑り落ちにくさを比較するための実験を次の通り行った。
本発明の静電植毛を施したハンガー（１０１）と、従来からの静電植毛を施したハンガー（１０２）を、それぞれフック（１０３）取り付け部及び左右どちらかの片側を、前後左右及び上下に揺れや傾きがないように任意の器具（１０４）で固定し、それぞれのハンガーの前記の器具で固定していない側の肩部分に、任意で同一の衣類（１０５）の右半分もしくは左半分を掛け、掛けられている側の袖口部分（１０６）に安全ピン（１０７）を留め、それにテンションゲージ（１０８）を引っかけて、衣類（１０５）を垂直に下方へ引っ張り、衣類（１０５）が何ニュートンの力でハンガーから滑り落ち出すのかを計測する。
【００２７】  図１２の示すように、前記の本発明の静電植毛を施したハンガーと、従来の静電植毛を施したハンガーの衣類の滑り落ちにくさを比較した実験を行った結果、縦軸（１１１）を衣類が滑り落ち出す力とし、横軸（１１２）に本発明の太さ１０〜２５Ｔの範囲内にある太さ２２Ｔ、長さ０．５ｍｍの短繊維の静電植毛ハンガー（１１３）、同じく本発明の太さ１０〜２５Ｔの範囲内にある太さ１７Ｔ、長さ１．５ｍｍの短繊維の静電植毛ハンガー（１１４）、従来からの太さ３．３Ｔ、長さ０．８ｍｍの短繊維による静電植毛のハンガー（１１５）、同じく太さ１．７Ｔ、長さ０．５ｍｍの短繊維による静電植毛のハンガー（１１６）、本発明と従来品の間の太さにあたる太さ６．７Ｔ、長さ１．０ｍｍの短繊維による静電植毛のハンガー（１１７）の値を棒グラフで表すと、本発明の太さ２２Ｔ、長さ０．５ｍｍ、または太さ１７Ｔ、長さ１．５ｍｍの短繊維で静電植毛を施したハンガーは従来品に比べ約１．５〜１．９倍の滑り止め効果があると認められ、太さ６．７Ｔ、長さ１．０ｍｍの製品の１．３倍の滑り止め効果が認められる。
【００２８】  図１３の示すように、本発明の太さ１０〜２５Ｔの範囲内にある太さ２２Ｔ、長さ０．５ｍｍの短繊維の静電植毛ハンガー（１２１）と本発明よりも太い、太さ３３Ｔ、長さ０．３ｍｍの短繊維による静電植毛のハンガー（１２２）の衣類の繊維に対しての傷つき安さの実験を行った。
太さ２２Ｔ、長さ０．５ｍｍの短繊維の静電植毛ハンガー（１２１）と、太さ３３Ｔ、長さ０．３ｍｍの短繊維による静電植毛ハンガー（１２２）にスーツ上着（１２３）を掛けて、外す動作を５００回繰り返し、スーツ上着（１２３）肩部分の内面の傷つき具合を検証する。
【００２９】  図１４の示すように、前記の本発明の静電植毛を施したハンガー（１３１）と、本発明の短繊維の太さ２５Ｔを超える太さ３３Ｔ、長さ０．３ｍｍの短繊維の静電植毛を施したハンガー（１３２）で、前記の傷つき安さの実験を行った結果、本発明の静電植毛を施したハンガー（１３１）は、スーツ上着内面の傷つきはほとんど認められなかったが、本発明の短繊維の太さ２５Ｔを超える太さ３３Ｔ、長さ０．３ｍｍの短繊維の静電植毛を施したハンガー（１３２）は、スーツ上着内面の損傷が認められた。
【００３０】  図１５の示すように、縦軸（１４１）を前記図１１における実験の滑り止め効果の引っ張る力とし、横軸（１４２）を短繊維の太さとして折れ線グラフを作成すると、従来の３．３Ｔの短繊維を静電植毛したハンガーに比べ、１．２倍（誤差範囲外で、効果を判断できる倍率として１．２倍とした。）の滑り止め効果を示す力のライン（１４３）が短繊維の太さ１０Ｔ付近を示していることと、前記図１４で認められた繊維の損傷を考慮した結果、本発明の短繊維の太さが１０〜２５Ｔであることが、最も効果がある範囲と推定した。
【００３１】  図１６の示すように、本発明に使う太さ２２Ｔ、長さ０．５ｍｍの短繊維を静電植毛した幅１２ｍｍ、長さ８０ｍｍの紙製粘着シート（１５１）を貼り付けた樹脂板（１５２）と、従来の太さ１．７Ｔ、長さ０．５ｍｍの短繊維を静電植毛した幅１２ｍｍ、長さ８０ｍｍの紙製粘着シート（１５３）を貼り付けた樹脂板（１５４）と、更に同じく幅１２ｍｍ、長さ８０ｍｍのシリコーン樹脂のシート（１５５）を貼り付けた樹脂板（１５６）を用意する。いずれも幅１５ｍｍ、長さ１００ｍｍの樹脂板の同位置に貼り付けている。またそれぞれの樹脂板にはテンションゲージのフックを引っかける紐（１５７）を付ける。
【００３２】  図１７の示すように、本発明のハンガーに使用する、太さ１０〜２５Ｔの範囲内にある太さ２２Ｔ、長さ０．５ｍｍの短繊維で静電植毛と、従来品の長さ０．５ｍｍ、太さ１．７Ｔの短繊維で静電植毛と、シリコーンゴムを使っての布生地の違いに於ける滑りにくさを比較するための実験を次の通り行った。
図１６に示した滑り止め素材のシート（１６１）を貼った樹脂板（１６２）の上に１００ｇの分銅（１６３）を載せ、それをそれぞれ２５０ｍｍ×２５０ｍｍのサイズに切って、ベニヤ板（１６４）に貼り付けた４種類の布生地（オックス生地（綿）、ニット生地（合繊）、タオル生地（綿）、サテン生地（合繊））（１６５）の上に置き、滑り止め素材（１６１）を貼った樹脂板（１６２）に取り付けた紐（１６６）をテンションゲージ（１６７）のフックに掛けて水平方向に引っ張り、何にニュートンの力で滑り出すかを計測する。
【００３３】  図１８ａは本発明で使う、太さ１０〜２５Ｔの範囲内にある太さ２２Ｔ、長さ０．５ｍｍの短繊維を静電植毛の滑り止め試験の結果、図１８ｂは従来の長さ０．５ｍｍ、太さ１．７Ｔの短繊維を静電植毛の滑り止め試験の結果、図１８ｃはシリコーン樹脂のシートの滑り止め試験の結果である。前記のそれぞれの結果が示すように、縦軸（１７１）を引っ張る力（単位：ニュートン）として、横軸（１７２）にオックス生地（綿）（１７３）、ニット生地（合繊）（１７４）、タオル生地（綿）（１７５）、サテン生地（合繊）（１７６）の順番に並べ、それぞれの滑り止め材が、４種類の布生地に対してどの程度の滑り止め効果を持っているかを棒グラフで示し、比べると本発明のハンガーに使われる長さ０．５ｍｍ、太さ２２Ｔの短繊維を静電植毛が、従来の長さ０．５ｍｍ、太さ１．７Ｔの短繊維を静電植毛に対して１．０倍〜１．８倍、シリコーン樹脂のシートに対して１．２５倍〜３．６倍の滑り止め効果が認められる。
【００３４】  本発明のハンガーは、ハンガー表面の一部分、または全面に太さ１０〜２５Ｔの合成繊維の複数の短繊維を静電植毛加工する。
【００３５】  本発明のハンガーは、繊維製品を掛ける平面、または曲面、或いは平面と曲面の複合形状を備える。
【００３６】  本発明は短繊維の太さを変えた静電植毛加工を施したハンガーで、衣類を含む繊維製品の滑り止め効果を狙ったものであり、繊維製品を掛け、また接触する部分への静電植毛加工を施したものである。
【００３７】〔産業上の利用可能性〕
本発明は、衣類ハンガーを始め、繊維製品の滑り止め効果を必要とする器具等を製造する産業で利用される。
【符号の説明】
【００３８】１    トップスハンガー
２    静電植毛加工
１１  ハンガー
１２  接着層
１３  植毛層
２１  太さ１０〜２５Ｔ、長さ０．３〜１．５ｍｍの短繊維
２２  太さ１．７〜３．３Ｔ、長さ０．３〜１．５ｍｍの短繊維
２３  衣類
３１  衣類ハンガー
３２  接着剤
３３  エアースプレーガン
４１  太さ１０〜２５Ｔの合成繊維の短繊維
４２  篩
４３  接着剤
４４  ハンガー
４５  接地極（アース）
４６  高圧極
４７  金属板
４８  静電気発生装置
５１  基材に短繊維を植毛したハンガー
５２  透明樹脂塗料
５３  エアースプレーガン
６１  短繊維
６２  透明樹脂塗料
６３  衣類の繊維
６４  接着層
６５  ハンガー
７１  ボトムスハンガー
７２  太さ１０〜２５Ｔの短繊維
８１  タオルハンガー
８２  太さ１０〜２５Ｔの短繊維
９１  繊維製品
９２  ハンガーの繊維製品を掛ける部分
１０１  本発明の静電植毛ハンガー
１０２  従来からの静電植毛を施したハンガー
１０３  ハンガーのフック
１０４  任意の器具
１０５  衣類
１０６  衣類の袖口部分
１０７  安全ピン
１０８  テンションゲージ
１２１  太さ２２Ｔ、長さ０．５ｍｍの短繊維の静電植毛ハンガー
１２２  太さ３３Ｔ、長さ０．３ｍｍの短繊維による静電植毛ハンガー
１２３  スーツ上着
１５１  太さ２２Ｔ、長さ０．５ｍｍの短繊維を静電植毛した紙製粘着シート
１５２  １５１を貼り付けた樹脂板
１５３  太さ１．７Ｔ、長さ０．５ｍｍの短繊維を静電植毛した紙製粘着シート
１５４  １５３を貼り付けた樹脂板
１５５  シリコーン樹脂のシート
１５６  １５５を貼り付けた樹脂板
１５７  テンションゲージのフックを引っかける紐
１６１  滑り止め素材のシート
１６２  １６１を貼った樹脂板
１６３  分銅
１６４  ベニヤ板
１６５  布生地
１６６  樹脂板に取り付けた紐
１６７  テンションゲージ
【図１】
2020014815.tif 000003
【図２】
2020014815.tif 000004
【図３】
2020014815.tif 000005
【図４】
2020014815.tif 000006
【図５】
2020014815.tif 000007
【図６】
2020014815.tif 000008
【図７】
2020014815.tif 000009
【図８】
2020014815.tif 000010
【図９】
2020014815.tif 000011
【図１０】
2020014815.tif 000012
【図１１】
2020014815.tif 000013
【図１２】
2020014815.tif 000014
【図１３】
2020014815.tif 000015
【図１４】
2020014815.tif 000016
【図１５】
2020014815.tif 000017
【図１６】
2020014815.tif 000018
【図１７】
2020014815.tif 000019
【図１８】
2020014815.tif 000020